(57)【特許請求の範囲】
【請求項１】
横断断面積が上端開口から底面に向けて漸減するように側面をテーパに形成した本体に一対の取っ手を取り付け、前記取っ手の握り部の両端にアーム部を連設すると共に握り部とアーム部の連設部に係合部を形成し、アーム部の先端を本体側面の外面に本体の内外方向へ回動可能に組付け、取っ手を本体の内方向へ回動させたとき前記係合部が本体側面の上端に係合し、かつ握り部が本体の上端面開口を横断すると共に本体側面の上端より下に位置し、取っ手を本体の外方向へ回動させたとき係合部が本体側面の上端から外れ、握り部が本体の外側まで回動するように構成し、前記本体側面の外面上部にストッパーを突設し、一の通し容器の本体に他の通し容器の本体を嵌合して積み重ねたとき、他の通し容器のストッパーが一の通し容器の本体側面の上端に当たって他の通し容器の底部と一の通し容器の底部の間に隙間が形成されるように構成した通し容器であって、前記アーム部をその長手方向に伸びる上半部と下半部に区画する段部を形成し、一の通し容器に他の通し容器を嵌合して積み重ねたとき一の通し容器のアーム部の上半部の内側に他の通し容器のアーム部の下半部が入るように構成したことを特徴とする通し容器。
【発明の詳細な説明】
【０００１】
【発明の属する技術分野】
本発明は繰り返して使用可能な製品輸送用の通し容器に関する。
【０００２】
【従来の技術】
この種の通し容器の一形式として、製品輸送に供しないとき、複数の容器を嵩張ることなく嵌合して積み重ねることができるように、横断断面積が上端開口から底面にかけて漸減するように側面をテーパに形成したプラスチック成形品が知られている。
【０００３】
【発明が解決しようとする課題】
従来の通し容器では、輸送時、製品を入れた通し容器の上端開口に蓋を被せて通し容器を積み上げているが、蓋と通し容器は別部材であるため蓋が紛失し易く、蓋を無くすとその通し容器を輸送時に積み上げることができなくなる。
また、従来の通し容器は、側面をテーパに形成しているので、嵩張ることなく積み重ねることができる反面、多数の容器を嵌合して積み重ねたとき、自重で容器同士が密着して外れ難くなることがある。
本発明はかかる問題点に鑑み、製品輸送に供しないときは積み重ねて保管でき、製品輸送時には蓋を用いることなく製品を入れたまま積み上げることのできる通し容器を提供することを第１の目的とする。
本発明の第２の目的は、多数の通し容器を嵌合して積み重ねても、簡単に取り外すことのできる構造を提供することを目的とする。
本発明の第３の目的は繰り返し使用できる耐久性に優れた通し容器を提供することを目的とする。
【０００４】
【課題を解決するための手段】
請求項１に記載の発明は、横断断面積が上端開口から底面に向けて漸減するように側面をテーパに形成した本体に一対の取っ手を取り付け、前記取っ手の握り部の両端にアーム部を連設すると共に握り部とアーム部の連設部に係合部を形成し、アーム部の先端を本体側面の外面に本体の内外方向へ回動可能に組付け、取っ手を本体の内方向へ回動させたとき前記係合部が本体側面の上端に係合し、かつ握り部が本体の上端面開口を横断すると共に本体側面の上端より下に位置し、取っ手を本体の外方向へ回動させたとき係合部が本体側面の上端から外れ、握り部が本体の外側まで回動するように構成し、前記本体側面の外面上部にストッパーを突設し、一の通し容器の本体に他の通し容器の本体を嵌合して積み重ねたとき、他の通し容器のストッパーが一の通し容器の本体側面の上端に当たって他の通し容器の底部と一の通し容器の底部の間に隙間が形成されるように構成した通し容器であって、前記アーム部をその長手方向に伸びる上半部と下半部に区画する段部を形成し、一の通し容器に他の通し容器を嵌合して積み重ねたとき一の通し容器のアーム部の上半部の内側に他の通し容器のアーム部の下半部が入るように構成したことを特徴とする。
【０００５】
【発明の作用・効果】
本発明によれば、取っ手のアーム部は本体側面の外面に組付けられているので、取っ手を本体の外側まで回動すれば、一の通し容器に他の通し容器を嵌合して積み重ねることができる。従って、通し容器を輸送に供しないときは、容器同士を嵌め込むように積み重ねて保管することができ、保管に要するスペースを節約できる。
製品を入れて輸送するときは、取っ手を内側へ回動して係合部を本体側面の上端に係合させる。こうすることにより、取っ手の握り部が本体の上端面開口を横断するので、一の通し容器の握り部の上に他の通し容器の底部を載せて積み上げることができる。また、係合部が本体側面上端に係合したとき握り部が本体側面の上端より下に位置するので、積み上げた通し容器はその底部が下の通し容器の中に入り込むことになり、輸送時に通し容器が多少滑っても底部が下の通し容器本体の側面上端内側に当たり、崩れない。
また、通し容器同士を嵌合して積み重ねるとき、通し容器とその上に積み重ねた通し容器の底部間に隙間が形成され、通し容器同士が密着するのを防止できる。このため、積み重ねた通し容器を簡単に外すことができる。
とくに請求項１に記載の発明によれば、一の通し容器に他の通し容器を嵌合して積み重ねたとき、一の通し容器のアーム部の上半部の内側に他の通し容器のアーム部の下半部が入って、アーム部とアーム部が部分的に重なるので、アーム部や握り部の本体外側への突出寸法が小さくなり、通し容器の保管に要するスペースを節約できる。
【０００６】
【発明の実施の形態】
以下に本発明を図面に基づき説明するに、図１と図２には本発明の一実施形態に係る通し容器１０が示されている。当該通し容器１０は、箱型の鉄板製の本体１１と、Ｌ字形のブラケット１２により本体１１に回動可能に組付けた左右一対の取っ手１３を備えている。
【０００７】
本体１１は長方形の上端開口１１ａと底面１１ｂを有し、４つの側面１１ｃ〜１１ｆのいずれもが、上端開口１１ａから底面１１ｂに向けて本体１１の横断断面積が漸減するテーパを成すように設けられている。
側面１１ｅの両端の折曲端部１１ｇと側面１１ｆの両端の折曲部１１ｈは各々側面１１ｃと側面１１ｄに溶接されている。
【０００８】
取っ手１３は断面四角形の中空構造を有する握り部１３ａと、握り部１３ａの両端に連設したＵ字形の係合部１３ｂと、係合部１３ｂに連設したアーム部１３ｃから成る。
図３と図４に拡大して示すように、アーム部１３ｃにはその長手方向に沿って段部１３ｄが形成され、該段部１３ｄによりアーム部１３ｃが上半部１３ｅと下半部１３ｆに区画されている。アーム部１３ｃの先端には通孔１３ｇが形成さ、アーム部１３ｃの下半部には切欠部１３ｈが形成されている。
【０００９】
図４に拡大して示すように、Ｌ字形のブラケット１２の一側の下端部にはストッパー１２ａが一体に突設されている。ブラケット１２の一側の右端部には軸ピン１２ｂがプレス成形により突設されている。軸ピン１２ｂの基端部１２ｃは断面半円形に成形されている。ブラケット１２はＬ字形の一側を折曲部１１ｇ，１１ｈに重ね、他側を側面１１ｅ，１１ｆに重ねるようにして本体１１の上部角隅部の外面に溶接により固着されている。
取っ手１３はブラケット１２の軸ピン１２ｂの基端部１２ｃにアーム部１３ｃの通孔１３ｄを嵌め込み、軸ピン１２ｂの先端部を折曲てアーム部１３ｃを抜け止めすることにより、本体側面１１ｃ，１１ｄの外面に本体１１の内外方法へ回動可能に組付けられている。
【００１０】
図１と図３に示すように取っ手１３を本体１１の内方向へ回動すると、取っ手１３の係合部１３ｂが本体側面１１ｃ，１１ｄの上端に係合し、握り部１３ａが本体１１の上端面開口１１ａを横断する。このとき、図３に示すように、握り部１３ａが本体側面１１ｃ，１１ｄの上端より下に位置するように係合部１３ｂの形状、寸法が定められている。
また、図２と図４に示すように、取っ手１３を本体１１の外方向へ回動すると握り部１３ａが本体１１の上端面開口１１ａから退避して本体１１の外側まで回動する。
【００１１】
本実施形態に係る通し容器１０の構造は以上の通りであって、次にその使用方法を説明する。
通し容器１０に製品を入れて輸送する場合は、図１に示すように、取っ手１３を本体１１の内方向に回動させて係合部を１３ｂ本体側面１１ｃ，１１ｄの上端に係合させる。そうしておいて、図５に示すように本体の上端開口１１ａを横断する握り部１３ａの上に別の通し容器１０の底部を載せて積み上げる。
【００１２】
製品輸送後に通し容器１０を返却する場合は、図２に示すように取っ手１３を本体１１の外方向に回動して握り部１３ａを本体１１の上端開口１１ａから退避させ。そうしておいて、図６に示すように別の通し容器１０をその上からはめ込んで積み重ねる。
図７に拡大して示すように、積み重ねた通し容器１０は、そのストッパー１２ａが下の通し容器１０の側面１１ｃ，１１ｄ上端に当たるので、通し容器１０とその上に重ねた通し容器１０の底部１１ｂの間に隙間が形成される。
また、下の通し容器１０のアーム部１３ｃの上半部１３ｅの内側に上の通し容器１０のアーム部１３ｃの下半部１３ｆが入り込むと共に、下の通し容器１０の軸ピン１２ｂの基端部１２ｃが上の通し容器１０のアーム部１３ｃの切欠部１３ｈに嵌る。
【００１３】
以上説明したように、本実施形態に係る通し容器１０は、取っ手１３のアーム部１３ｃを本体側面１１ｃ，１１ｄの外面に組付けているので、取っ手１３を本体１１の外側まで回動すれば、一の通し容器１０に他の通し容器１０を嵌合して積み重ねることができる。従って、通し容器１０を輸送に供しないときは、容器１０同士を嵌め込むように積み重ねて保管することができ、保管に要するスペースを節約できる。
一方、製品を入れて輸送するときは、取っ手１３を本体１１の内側へ回動して係合部１３ｂを本体側面１１ｃ，１１ｄの上端に係合させる。こうすることにより、取っ手１３の握り部１３ａが本体の上端面開口１１ａを横断するので、一の通し容器１０の握り部１３ａの上に他の通し容器１０を積み上げることができる。
【００１４】
係合部１３ｂが本体側面１１ｃ，１１ｄの上端に係合したとき握り部１３ａが本体側面１１ｃ，１１ｄの上端より下に位置するので、積み上げた通し容器１０はその底部１１ｂが下の通し容器１０の中に入り込むことになり、輸送時に通し容器１０が多少横に滑っても底部１１ｂが下の通し容器１０の側面１１ｃ〜１１ｆに当たり、崩れない。
【００１５】
通し容器１０同士を嵌合して積み重ねるとき、ストッパー１２ａの働きにより通し容器１０とその上に積み重ねた通し容器１０の底部１１ｂの間に隙間が形成され、通し容器１０同士が密着するのを防止できる。このため、積み重ねた通し容器１０を簡単に外すことができる。
【００１６】
通し容器１０に別の通し容器１０を嵌合して積み重ねたとき、下の通し容器１０のアーム部１３ｃの上半部１３ｅの内側に上の通し容器１０のアーム部１３ｃの下半部１３ｆが入って、アーム部１３ｃとアーム部１３ｃが部分的に重なるので、アーム部１３ｃや握り部１３ａの本体１１外側への突出寸法が小さくなり、通し容器１０の保管に要するスペースを節約できる。
【００１７】
握り部１３ａを断面四角形の中空構造にしたので、下の通し容器１０の握り部１３ａに上の通し容器１０の底面１１ｂを積み上げたとき安定する。従って、通し容器１０の積み上げ作業がし易い。
【００１８】
ブラケット１２により本体１１の上部角隅部を補強したので、通し容器１０に製品を入れたときその重みで本体１１が変形し難く、繰り返し使用できる。
【図面の簡単な説明】
【図１】本発明の一実施形態に係る通し容器であって、取っ手を内側へ回動した状態を示す斜視図である。
【図２】同通し容器の、取っ手を外側へ回動した状態を示す斜視図である。
製品輸送に供する場合の積み重ね方法を示す断面図である。
【図３】同通し容器の取っ手の取り付け部を示す断面図である。
【図４】同通し容器の取っ手の取り付け部を示す斜視図である。
【図５】同通し容器を積み上げた状態を示す斜視図である。
【図６】同通し容器を積み重ねた状態を示す斜視図である。
【図７】積み重ねた通し容器のアーム部を示す斜視図である。
【符号の説明】
１０…通し容器、１１…本体、１１ａ…上端開口、１１ｂ…底面、１１ｃ，１１ｄ，１１ｅ，１１ｆ…側面、１２…ブラケット、１２ａ…ストッパー、１３…取っ手、１３ａ…握り部、１３ｂ…係合部、１３ｃ…アーム部。
【図１】
0003604608.tif 000002
【図２】
0003604608.tif 000003
【図３】
0003604608.tif 000004
【図４】
0003604608.tif 000005
【図５】
0003604608.tif 000006
【図６】
0003604608.tif 000007
【図７】
0003604608.tif 000008